(57)【要約】【課題】木板表面が長年の雨風等により汚染物質や風化作用で変色してしまったような場合、温水高圧洗浄ボイラーにより作製された高圧温水を木板の表面に噴射ノズルにより連続して吹き付け位置を移行しつつ吹き付け噴射することになり、この高温度に加熱された高圧温水の吹き付け噴射により木板の表面に付着している汚染物質は洗浄除去され、木板の表面に美しい木肌が露出する程度に洗浄することができ、建築当初の木板に近い表面に復活修復することができると共に温水のためそれ程高い圧力が不要となり、それだけ、木板に近い表面の損傷を防ぐことができ、作業性を高めることができると共に良好な洗浄を行うことができる。【解決手段】建物の外壁等を構成している木板Ｄの表面Ｄ1に高圧温水を噴射することにより木板表面に付着している汚染物質を洗浄除去する。【選択図】図１
2005161252.tif 000002
【特許請求の範囲】
【請求項１】
建物の外壁等を構成している木板の表面に高圧温水を噴射することにより木板表面に付着している汚染物質を洗浄除去することを特徴とする外壁木板表面洗浄方法。
【請求項２】
上記木板の表面に付着している汚染物質を洗浄除去した後に木板表面に塗装処理を施すことを特徴とする請求項１記載の外壁木板表面洗浄方法。
【請求項３】
高圧温水を作製する温水高圧洗浄ボイラーと、該高圧温水を建物の外壁等を構成している木板の表面に噴射する噴射ノズルとを備えてなることを特徴とする外壁木板表面洗浄装置。
【請求項４】
上記温水高圧洗浄ボイラーに代えて、高圧水を作製する高圧水噴射ポンプと、該高圧水を加熱して高圧温水を作製する温水ボイラーとにより構成してなることを特徴とする外壁木板表面洗浄装置。
【請求項５】
上記高圧温水の圧力は８Ｍｐａ〜１４Ｍｐａであることを特徴とする請求項３又は４記載の外壁木板表面洗浄装置。
【請求項６】
上記高圧温水の温度は５０℃〜８０℃であることを特徴とする請求項３〜５のいずれか１項に記載の外壁木板表面洗浄装置。
【発明の詳細な説明】
【技術分野】
【０００１】
本発明は例えば木造家屋等の外壁や雨除板等を構成している木板の表面の洗浄方法及びその装置に関するものである。
【背景技術】
【０００２】
従来この種の木板の表面の洗浄方法として、高圧水噴射ポンプにより高圧水を作製し、この高圧水を噴射ノズルにより建物の外壁等を構成している木板の表面に噴射することにより木板表面に付着している汚染物質を洗浄する方法が知られている。
【特許文献１】特開２００１−３００４４３号公報
【発明の開示】
【発明が解決しようとする課題】
【０００３】
しかしながら上記従来構造の場合、建物の外壁等を構成している木板の表面に単に高圧水を噴射するだけであるから、長年の雨風等により汚染物質や風化作用で変色してしまっている木板表面の木肌が露呈する程度まで洗浄することには限界があり、このため、相変わらず、濃い塗料を上塗りすることが一般的に行われており、上塗りは折角の木肌の美観を損なうことがあったり、上塗りした塗料が剥げ易く、経年使用に耐えられないことがあったり、又、高圧水の圧力を上げすぎることにより木板の表面を圧力により損傷してしまうおそれがあるという不都合を有している。
【課題を解決するための手段】
【０００４】
本発明はこれらの不都合を解決することを目的とするもので、本発明のうちで、請求項１記載の方法の発明は、建物の外壁等を構成している木板の表面に高温度に加熱された高圧水を噴射することにより木板表面に付着している汚染物質を洗浄除去することを特徴とする外壁木板表面洗浄方法にある。
【０００５】
又、請求項２記載の方法の発明は、上記木板の表面に付着している汚染物質を洗浄除去した後に木板表面に塗装処理を施すことを特徴とするものである。
【０００６】
又、請求項３記載の装置の発明は、高圧温水を作製する温水高圧洗浄ボイラーと、該高圧温水を建物の外壁等を構成している木板の表面に噴射する噴射ノズルとを備えてなることを特徴とする外壁木板表面洗浄装置にある。
【０００７】
又、請求項４記載の装置の発明は、上記温水高圧洗浄ボイラーに代えて、高圧水を作製する高圧水噴射ポンプと、該高圧水を加熱して高圧温水を作製する温水ボイラーとにより構成してなることを特徴とするものであり、又、請求項５記載の装置の発明は、上記高圧温水の圧力は８Ｍｐａ〜１４Ｍｐａであることを特徴とするものであり、又、請求項６記載の装置の発明は、上記高圧温水の温度は５０℃〜８０℃であることを特徴とするものである。
【発明の効果】
【０００８】
本発明は上述の如く、請求項１又は３記載の発明にあっては、木板表面が長年の雨風等により汚染物質や風化作用で変色してしまったような場合、温水高圧洗浄ボイラーにより作製された高圧温水を木板の表面に噴射ノズルにより連続して吹き付け位置を移行しつつ吹き付け噴射することになり、この高温度に加熱された高圧温水の吹き付け噴射により木板の表面に付着している汚染物質は洗浄除去され、木板の表面に美しい木肌が露出する程度に洗浄することができ、建築当初の木板に近い表面に復活修復することができると共に温水のためそれ程高い圧力が不要となり、それだけ、木板に近い表面の損傷を防ぐことができ、作業性を高めることができると共に良好な洗浄を行うことができる。
【０００９】
又、請求項２記載の発明にあっては、上記木板の表面に付着している汚染物質を洗浄除去した後に木板の表面にクリア塗装や他の着色塗装等の処理を施す場合、木板の表面と塗料との密着性を高めることができ、塗料の剥離を防いで耐久性を向上することができる。
【００１０】
又、請求項４記載の発明にあっては、高圧水噴射ポンプと温水ボイラーを多用途に使用する融通性を得ることができ、又、請求項５記載の発明にあっては、上記高圧温水の圧力は８Ｍｐａ〜１４Ｍｐａであるから、木板の表面の損傷を抑制しつつ洗浄効果を高めることができ、又、請求項６記載の発明にあっては、上記高圧温水の温度は５０℃〜８０℃が用いられているから、木板表面の焼損傷を抑制しつつ洗浄効果を高めることができる。
【発明を実施するための最良の形態】
【００１１】
図１、図２は本発明の実施の形態例を示し、図１は第一形態例、図２は第二形態例を示している。
【００１２】
図１の第一形態例において、１は温水高圧洗浄ボイラーであって、例えば水道の蛇口などの水源２に接続され、商用電源駆動式モータ、高圧作製用ポンプ及び軽油燃料のボイラーが装備され、水源２からの水を加圧して高圧水を作製し、この高圧水を加熱して高圧温水Ｗを作製して吐出する構造となっている。この場合、総水量１６リットル／ｍｉｎ、最高圧力２０ＭＰａ（２００ｋｇｆ／ｃｍ3)、直流１００Ｖ、最高温度９０℃、重量７０ｋｇの仕様のものを用いている。
【００１３】
３は噴射ノズルであって、上記温水高圧洗浄ボイラー１にホース４を介して接続され、ホース４はホースリール５により巻き取られ、洗浄対象物である木板Ｄの表面Ｄ1に高圧温水Ｗを例えばシャワー状に噴射する構造となっている。
【００１４】
尚、この場合、高圧温水Ｗの圧力は８Ｍｐａ〜１４Ｍｐａが用いられ、８Ｍｐａ以下になると洗浄効果が薄くなり、１４Ｍｐａ以上になると過大な圧力となり、木板Ｄの表面Ｄ1を損傷することがあるからである。
【００１５】
又、この場合、上記高圧温水Ｗの温度は５０℃〜８０℃が用いられ、５０℃以下になると洗浄効果が薄くなり、８０℃以上になると木板Ｄの表面Ｄ1を焼損傷してしまうおそれがあるからである。
【００１６】
又、この場合、必要に応じて、上記木板Ｄの表面Ｄ1に付着している汚染物質を洗浄除去した後に木板Ｄ表面Ｄ1にクリア塗装や他の着色塗装等の塗装処理を施すことがある。
【００１７】
このクリア塗装や他の着色塗装等の塗装処理に用いる塗料としては、木材保護含浸塗料（登録商標ノンロッドシリーズ、サンテクノケミカル株式会社製）や木材専用塗料（登録商標キシラデコール、武田薬品工業株式会社製）が用いられている。
【００１８】
この実施の第一形態例は上記構成であるから、図１の如く、木板Ｄの表面Ｄ1が長年の雨風等により汚染物質や風化作用で変色してしまったような場合、温水高圧洗浄ボイラー１により作製された高圧温水Ｗを木板Ｄの表面Ｄ1に噴射ノズル３により連続して吹き付け位置を移行しつつ吹き付け噴射することになり、この高温度に加熱された高圧温水Ｗの吹き付け噴射により木板Ｄの表面Ｄ1に付着している汚染物質は洗浄除去され、木板Ｄの表面Ｄ1に美しい木肌が露出する程度に洗浄することができ、建築当初の木板Ｄに近い表面Ｄ1に復活修復することができると共に温水のためそれ程高い圧力が不要となり、それだけ、木板Ｄに近い表面Ｄ1の損傷を防ぐことができ、作業性を高めることができると共に良好な洗浄を行うことができる。
【００１９】
又、上記木板Ｄの表面Ｄ1に付着している汚染物質を洗浄除去した後に木板Ｄの表面Ｄ1にクリア塗装や他の着色塗装等の処理を施す場合、木板Ｄの表面Ｄ1と塗料との密着性を高めることができ、塗料の剥離を防いで耐久性を向上することができる。
【００２０】
又、この場合、上記高圧温水Ｗの圧力は８Ｍｐａ〜１４Ｍｐａであるから、木板Ｄの表面Ｄ1の損傷を抑制しつつ洗浄効果を高めることができ、又、この場合、上記高圧温水Ｗの温度は５０℃〜８０℃が用いられているから、木板Ｄの表面Ｄ1の焼損傷を抑制しつつ洗浄効果を高めることができる。
【００２１】
図２の第二形態例は別例構造を示し、この場合、上記温水高圧洗浄ボイラー１に代えて、高圧水を作製する高圧水噴射ポンプ６と、高圧水を加熱して高圧温水Ｗを作製する温水ボイラー７とにより構成している。
【００２２】
この場合、上記高圧水噴射ポンプ６は、例えば水道の蛇口などの水源２に接続され、ガソリンエンジン及び高圧作製用ポンプが装備され、水源２からの水を加圧して高圧水を作製して吐出する構造となっている。この場合、最大６．５ＰＳ、定格５．０ＰＳのガソリンエンジン、総水量１３リットル／ｍｉｎ、最高圧力１５ＭＰａ（１５３ｋｇｆ／ｃｍ3)、重量３０ｋｇのポンプ仕様のものを用いている。
【００２３】
又、この温水ボイラー７は、軽油燃料が用いられ、上記高圧水を最高９０℃に加熱して高圧温水Ｗを作製する構造となっている。
【００２４】
この第二形態例にあっても、上記第一形態例と同様な作用効果を得ることができると共に高圧水噴射ポンプ６と温水ボイラー７を多用途に使用する融通性を得ることができる。
【００２５】
尚、本発明は上記実施の形態例に限られるものではなく、温水高圧洗浄ボイラー１、噴射ノズル３、高圧水噴射ポンプ６、温水ボイラー７等の構造等は適宜変更して設計される。
【００２６】
以上、所期の目的を充分達成することができる。
【図面の簡単な説明】
【００２７】
【図１】本発明の実施の第一形態例の構成系統図である。
【図２】本発明の実施の第二形態例の構成系統図である。
【符号の説明】
【００２８】
Ｗ    高圧温水
Ｄ    木板
Ｄ1    表面
１    温水高圧洗浄ボイラー
３    噴射ノズル
６    高圧水噴射ポンプ
７    温水ボイラー
【図１】
2005161252.tif 000003
【図２】
2005161252.tif 000004